(57)【要約】  搬送テープ２によって搬送され、搬送テープ２に沿って順次配置され、カバー３によって覆われている構成部品を露出する方法。カバーは搬送テープに取り付けられ、その下面は構成部品配列に向かい合っている。方法は、搬送テープを取上げ位置に向かって給送している間に、搬送テープの第１の部分３１からカバーの第１の部分を分離することによって行われる。その後、上記によって剥がされたカバー部分を、搬送テープの第２の側部に向かって案内する。カバーが取上げ位置に到達する前、直立状態に起こされている間に、カバーを折り返すことによって自動的に畳み、その結果、カバーの下面の少なくとも２つの部分が互いに向かい合い、それによってカバーの高さを低減するように前記案内を行う。
2007510296.tif 000002
【特許請求の範囲】
【請求項１】
搬送テープ（２）によって搬送された構成部品（４）を取上げ位置（２２）で露出する方法において、
前記構成部品は、前記搬送テープに沿って順次配置され、カバー（３）によって覆われており、
前記カバーは、前記搬送テープに前記カバーの第１の縁部及び第２の縁部で取り付けられ、前記縁部は、前記構成部品配列の第１の側部及び第２の側部にそれぞれ配置され、
前記カバーの下面は、前記構成部品配列に向かい合い、
前記搬送テープは、前記カバーの前記第１及び第２の縁部がそれぞれ取り付けられている第１の部分（３１）及び第２の部分（３２）を有する方法であって、
前記搬送テープを前記取上げ位置に向かって給送している間に、前記搬送テープの前記第１の部分から前記カバーの第１の縁部を分離するステップと、それによって剥がされた前記カバーの部分を、前記構成部品を前記取上げ位置で露出するために、前記搬送テープの前記第２の側部に向かって案内するステップと、
前記取上げ位置に到達する前、直立状態に起こしている間に、前記カバーを折り返すことによって自動的に畳み、その結果、前記カバーの下面の少なくとも２つの部分が互いに向かい合い、それによって前記カバーの高さを低減するように前記案内を行うステップと
を含む方法。
【請求項２】
搬送テープ（２）によって搬送された構成部品（４）を取上げ位置（２２）で露出する方法において、
前記構成部品は、前記搬送テープに沿って順次配置され、カバー（３）によって覆われており、
前記カバーは、前記搬送テープに前記カバーの第１の縁部及び第２の縁部で取り付けられ、前記縁部は、前記構成部品配列の第１の側部及び第２の側部にそれぞれ配置され、
前記カバーの下面は、前記構成部品配列に向かい合い、
前記搬送テープは、前記カバーの前記第１及び第２の縁部がそれぞれ取り付けられている第１の部分（３１）及び第２の部分（３２）を有する方法であって、
前記搬送テープを前記取上げ位置に向かって給送している間に、前記搬送テープの前記第１の部分から前記カバーの前記第１の縁部を分離するステップと、
それによって剥がされた前記カバーの部分を、前記搬送テープの前記第２の側部に向かって案内するステップと、
前記カバーの前記分離された縁部が前記取上げ位置に到達する前、直立状態に起こしている間に、前記カバーの下面の少なくとも２つの部分が互いに向かい合い、それによって前記カバーの高さを低減するように、前記カバーを折り返すことによって畳むステップと、
前記カバーが前記取上げ位置を通過する間、前記取上げ位置の前記第２の側部に配置された壁手段（２４）を用いて前記カバーを畳まれた状態に維持するステップと
を含む方法。
【請求項３】
前記カバー（３）に張力が掛かるように前記カバーを案内するステップであって、前記張力が前記カバーを前記のように折り返すことによって畳むステップを更に含む、請求項１又は２に記載の方法。
【請求項４】
前記カバーを前記搬送テープ（２）から分離する第１の点（Ｂ）と、前記カバーを、直立状態に起こしている間に、前記カバーの下面の少なくとも２つの部分が互いに向かい合うように折り返すことによって畳み終わっている、前記構成部品配列（４）の前記第２の側部上の第２の点（Ｃ）との距離（ＢＣ）であって、前記距離（ＢＣ）を前記搬送テープの給送方向に平行な方向上に投影したときの第１の距離（Ｄ１）と、
前記搬送テープの前記第１の部分から横方向に沿って実質的に前記搬送テープの前記第２の部分までの横断距離（ＡＢ）である第２の距離（Ｄ２）と
の比（Ｒ）が、約２．５と６との間、好ましくは約４と５との間、より好ましくは約４．５になるように前記カバー（３）を案内するステップを更に含む、前記請求項のいずれか一項に記載の方法。
【請求項５】
搬送テープ（２）によって搬送された構成部品（４）を取上げ位置（２２）で露出する装置において、
前記構成部品は、前記搬送テープに沿って順次配置され、カバー（３）によって覆われており、
前記カバーは、前記搬送テープに前記カバーの第１の縁部及び第２の縁部で取り付けられ、前記縁部は、前記構成部品配列の第１の側部及び第２の側部にそれぞれ配置され、
前記カバーの下面は、前記構成部品配列に向かい合い、
前記搬送テープは、前記カバーの前記第１及び第２の縁部がそれぞれ取り付けられている第１の部分（３１）及び第２の部分（３２）を有する装置であって、
前記搬送テープの前記第１の部分から前記カバーの前記第１の縁部を分離する手段（３３）と、それによって剥がされた前記カバーの部分を、前記搬送テープを前記取上げ位置に向かって給送している間に、前記構成部品を前記取上げ位置で露出するために、前記搬送テープの前記第２の側部に向かって案内する手段（２６）と
を備え、
前記取上げ位置に到達する前に、前記カバーを直立状態に起こし、折り返すことによって自動的に畳み、その結果、前記カバーの下面の少なくとも２つの部分が互いに向かい合い、それによって前記カバーの高さを低減するように、前記カバーの前記剥がされた部分を案内する前記手段が構成されている装置。
【請求項６】
前記カバー（３）の縁部を分離するための前記手段（３３）及び前記カバーの前記剥がされた部分を案内するための前記手段（２６）が、前記カバーを前記のように折り返すことによって畳むような張力を前記カバー内に加えるように構成されている、請求項５に記載の装置。
【請求項７】
前記カバー（３）が前記取上げ位置を通過する間、畳まれた状態に前記カバーを維持するために前記取上げ位置（２２）の側面に配置された壁手段（２４）を更に備える、請求項５又は６に記載の装置。
【請求項８】
搬送テープ（２）によって搬送された構成部品（４）を取上げ位置（２２）で露出する装置において、
前記構成部品は、前記搬送テープに沿って順次配置され、カバー（３）によって覆われており、
前記カバーは、前記搬送テープに前記カバーの第１の縁部及び第２の縁部で取り付けられ、前記縁部は、前記構成部品配列の第１の側部及び第２の側部にそれぞれ配置され、
前記カバーの下面は、前記構成部品配列に向かい合い、
前記搬送テープは、前記カバーの前記第１及び第２の縁部がそれぞれ取り付けられている第１の部分（３１）及び第２の部分（３２）を有する装置であって、
前記搬送テープの前記第１の部分から前記カバーの前記第１の縁部を分離する手段（３３）と、それによって剥がされた前記カバーの部分を、前記搬送テープを前記取上げ位置に向かって給送している間に、前記搬送テープの前記第２の側部に向かって案内する手段（２６）と、
前記カバーを直立状態に起こしている間に、前記カバーの下面の少なくとも２つの部分が互いに向かい合い、それによって前記カバーの高さを低減するように、前記カバーを折り返すことによって畳むための手段と、
前記カバーが前記取上げ位置を通過する間、前記カバーを畳まれた状態に維持するために、前記取上げ位置の側面に配置された壁手段（２４）と
を備える装置。
【請求項９】
前記壁手段（２４）が、前記搬送テープ（２）の給送方向に実質的に平行である、請求項７又は８に記載の装置。
【請求項１０】
前記壁手段（２４）は又、畳まれた前記カバー・テープ（３）がその通路を通って前記取上げ位置（２２）の側部を通過する、前記壁手段（２４）及びテープ・ガイド壁（１３）の一部分によって形成される溝穴状の通路を覆う屋根状手段（２９）を備える、請求項７から９までのいずれか一項に記載の装置。
【請求項１１】
前記カバー（３）の縁部を分離するための前記手段（３３）及び前記カバーを折り返すことによって畳むための前記手段は、
前記カバーを前記搬送テープから分離する第１の点（Ｂ）と、前記カバーを、直立状態に起こしている間に、前記カバーの下面の少なくとも２つの部分が互いに向かい合うように折り返すことによって畳み終わっている、前記構成部品配列（４）の前記第２の側部上の第２の点（Ｃ）との距離（ＢＣ）であって、前記距離（ＢＣ）を前記搬送テープの給送方向に平行な方向上に投影したときの第１の距離（Ｄ１）と、
前記搬送テープの前記第１の部分（３１）から横方向に沿って実質的に前記搬送テープの前記第２の部分までの横断距離（ＡＢ）である第２の距離（Ｄ２）との比（Ｒ）が約２．５と６の間、好ましくは約４と５の間、より好ましくは約４．５になるように配置される、請求項７から１０までのいずれか一項に記載の装置。
【請求項１２】
請求項５から１１までのいずれか一項に記載の露出装置を備えるテープ・ガイドであって、自蔵型ユニットであるテープ・ガイド。
【請求項１３】
搬送テープ（２）によって搬送された構成部品を取上げ位置で露出する装置において、
前記構成部品は、前記搬送テープに沿って順次配置され、カバーによって覆われており、
前記カバーは、前記搬送テープに前記カバーの第１の縁部及び第２の縁部で取り付けられ、前記縁部は、前記構成部品配列の第１の側部及び第２の側部にそれぞれ配置され、
前記カバーの下面は、前記構成部品配列に向かい合い、
前記搬送テープは、前記カバーの前記第１及び第２の縁部がそれぞれ取り付けられている第１の部分及び第２の部分を有する装置であって、
前記カバーの前記第１の縁部を前記搬送テープの前記第１の部分から分離させるための分離部と、
それによって剥がされた前記カバーの部分を、前記カバーを前記取上げ位置に向かって給送している間に、前記構成部品を前記取上げ位置で露出するために、前記搬送テープの前記第２の側部に向かって案内する案内部と
を備え、
前記案内部は、前記カバーが前記取上げ位置に到達する前に、前記カバーを直立状態に起こし、折り返すことによって自動的に畳み、その結果、前記カバーの下面の少なくとも２つの部分が互いに向かい合うようになり、それによって前記カバーの高さを低減させるように構成されている装置。
【請求項１４】
前記分離部及び前記案内部が、前記カバーを前記のように折り返すことによって畳むような張力を前記カバーに加えるように構成されている、請求項１３に記載の装置。
【請求項１５】
前記カバーが前記取上げ位置を通過する間、前記カバーを畳まれた状態に維持するために、壁が、前記取上げ位置の側部に配置されている、請求項１３又は１４に記載の装置。
【請求項１６】
搬送テープによって搬送された構成部品を取上げ位置で露出する装置において、
前記構成部品は、前記搬送テープに沿って順次配置され、カバーによって覆われており、
前記カバーは、前記搬送テープに前記カバーの第１の縁部及び第２の縁部で取り付けられ、前記縁部は、前記構成部品配列の第１の側部及び第２の側部にそれぞれ配置され、
前記カバーの下面は、前記構成部品配列に向かい合い、
前記搬送テープは、前記カバーの前記第１及び第２の縁部がそれぞれ取り付けられている第１の部分及び第２の部分（３２）を有する装置であって、
前記カバーの前記第１の縁部を前記搬送テープの前記第１の部分から分離させるための分離部と、それによって剥がされた前記カバーの部分を、前記搬送テープを前記取上げ位置に向けて給送している間に、前記搬送テープの前記第２の側部に向けて案内するための案内部と、
前記カバーを直立状態に起こしている間に、前記カバーの下面の少なくとも２つの部分が互いに向かい合い、それによって前記カバーの高さを低減するように、前記カバーを折り返すことによって畳むための折畳みユニットと、
前記カバーが前記取上げ位置を通過する間、前記カバーを畳まれた状態に維持するために、前記取上げ位置の側部に配置された壁と
を備える装置。
【請求項１７】
前記壁（２４）が、前記搬送テープの給送方向に実質的に平行である、請求項１５又は１６に記載の装置。
【請求項１８】
前記壁は、前記畳まれたカバー・テープがその通路を通って前記取上げ位置の側部を通過する、前記壁及び前記テープ・ガイド壁の一部分によって形成される溝穴状の通路を覆う屋根部分を備える、請求項１５から１７までのいずれか一項に記載の装置。
【請求項１９】
前記カバーの縁部を分離するための前記分離部及び前記カバーを折り返すことによって畳むための前記折畳みユニットは、
前記カバーを前記搬送テープから分離する第１の点（Ｂ）と、前記カバーを、直立状態に起こしている間に、前記カバーの下面の少なくとも２つの部分が互いに向かい合うように折り返すことによって畳み終わっている、前記構成部品配列の前記第２の側部上の第２の点（Ｃ）との距離（ＢＣ）であって、前記距離（ＢＣ）を前記搬送テープの給送方向に平行な方向上に投影したときの第１の距離（Ｄ１）と、
前記搬送テープの前記第１の部分から横方向に沿って実質的に前記搬送テープの前記第２の部分までの横断距離（ＡＢ）である第２の距離（Ｄ２）と
の比が、約２．５と６の間、好ましくは約４と５の間、より好ましくは約４．５になるように配置される、請求項１３から１８までのいずれか一項に記載の装置。
【請求項２０】
請求項１３から１９までのいずれか一項に記載の露出装置を備えるテープ・ガイドであって、自蔵型ユニットであるテープ・ガイド。
【発明の詳細な説明】
【技術分野】
【０００１】
本発明は、一般に、回路基板の製造及び組立の分野に関する。より詳細には、本発明は、構成部品取付け機の取上げ位置で構成部品を露出する方法及び装置、並びに、そのような露出装置を備えたテープ・ガイドに関する。
【背景技術】
【０００２】
一般に、回路基板の製造及び組立の分野では、電子構成部品は、それを回路基板に機械的及び／又は電気的に取り付けるために、構成部品取付け機に供給される。これら表面実装構成部品は、構成部品テープの長さに沿って、離隔されて供給されることが多く、構成部品テープは、構成部品ごとに１つずつの区画室を備え付けた下側の搬送テープと、上側のカバー又はカバー・テープ或いは保護テープとで構成される。電子構成部品を対応する区画室に配置後、例えばカバー・テープ又は搬送テープのいずれかに接着領域を設け、或いは、カバー・テープを搬送テープに融合させることによって、カバー・テープを搬送テープに取り付け、構成部品テープを構成部品リールに巻きつける。構成部品テープを構成部品リールに巻きつけた後、リールは構成部品取付け機に移され、構成部品取付け機は構成部品を、ピックアップ・ヘッドによってそれを取上げ又は収集することができるある所定の取上げ位置に供給する。
【０００３】
ＷＯ８６／００７７８には、上記の方法を用いる構成部品取付け機用のカセット・マガジンが開示されている。主なステップは以下の通りである。構成部品テープの自由端を、構成部品取付け機又はカセット・マガジンに設けられた給送機構に導き入れ、給送ピンを構成部品テープに設けられた対応する孔に係合させる。手で、カバー・テープの端部を搬送テープの端部から、カバー・テープをカバー・テープ処理手段に取り付けるのに十分な長さだけ分離させる。カバー・テープの端部を、搬送テープを固定するプレート又は固定機構と組み合わされたストリップ・エッジを通過させる。固定機構を搬送テープの上に降ろして、搬送テープを給送機構に押し付け保持する。手で、カバー・テープの端部を、カバー・テープ処理手段まで持って行き、それに取り付け、カバー・テープを、例えばカバー・テープ処理手段を操作することによって引っ張る。
【０００４】
構成部品を取り上げる前に、各構成部品は、それを取り上げることができるように露出させる必要がある。これは、搬送テープからカバー・テープを取り外すことによって達成される。次いで、構成部品を取り上げるのをカバー・テープが邪魔しないように、カバー・テープは、独立したカバー・テープ処理手段に取り込まれる。一般に、カバー・テープ処理手段は、カバー・テープが巻き上げられる巻上げハブを備える。更に、構成部品取付け機又はテープ・マガジンから構成部品テープを取り降ろすとき、巻上げハブからカバー・テープを取り外す必要がある。
【０００５】
カバー・テープの端部をカバー・テープ処理手段まで持って行くために、カバー・テープの端部をかなりの長さ搬送テープの端部から分離させる必要がある。従って、新しい搬送テープの最初の数デシメートルは、構成部品が設けられていない。そうしなければ、幾つもの構成部品が装着中に無駄になる。しかし、既に部分的に使用されているテープ・リールを再装着する場合、テープには一杯に構成部品が備わっており、従って多数の構成部品が無駄になり得る。
【０００６】
幅の広い、即ち８ｍｍより幅広の搬送テープ中の構成部品を露出させるのに最も良く行われている方法は、上記の方法を用いるものである。搬送テープの幅は８から２００ｍｍの範囲にあり、８、１２、又は１６ｍｍの幅が最も普及している。様々な搬送テープ及びカバーの特性は公知であり、構成部品テープの基本事項を規定する米国規格ＥＩＡ−４８１が存在するので、異なる製造業者間に大きな差はない。例えば、その規格は、構成部品テープの引剥がし力、即ち搬送テープからカバーを剥がすのに必要な力を規定する。この値から、カバーの弾力性に関する決定が導き出せる。
【０００７】
８ｍｍなどの幅の狭い構成部品テープは、例えばＷＯ  ００／３８４９１におけるような、異なる方法で取り扱われることがあり、その場合、機械から離れたところで構成部品テープを装填してから前記機械に挿し込むことができるテープ・ガイドが用いられる。例えば操作者によってテープ・ガイドが装填されるとき、構成部品テープは、先ず、テープ・ガイドに対向して延在する２つの壁の間に挿入される。次いでテープは、テープ・ガイドに取り付けられたプラウに向かって手で送り込まれ、構成部品テープがプラウに到達すると、操作者は、プラウの先端部を搬送テープとカバーの間に確実に差し込む。更に、プラウは、操作者が、手で、構成部品テープをプラウを超えて送り込み続けるとき、構成部品テープに装着されているカバーの一方の縁部を剥がし、他方の縁部は装着されたままに残し、カバー・テープが更にテープ・ガイド内に送り込まれるにつれて、カバーを直立の状態に起こすように、構成されている。テープ・ガイドが更に進むことによって、カバーがプラウによって直立に起こされていく。
【０００８】
この文脈では、用語、直立は方向を示し、その方向は搬送テープの面に対して実質的に垂直、又は、取上げ位置から離れる方へ、より外側に曲げられ、従って搬送テープの面と少なくとも約６０度の角度を形成する方向である。ここで、搬送テープの面は、カバーが搬送テープに取り付けられている限り、カバーの面に実質的に平行である。
【０００９】
操作者は、テープ・ガイドが構成部品取付け機に装填された場合構成部品取付け機の供給手段が構成部品テープと係合することができる位置にテープが到達するまで、テープ・ガイドに沿って構成部品テープを送り込み続ける。
【００１０】
構成部品テープが上記のようにテープ・ガイドに装填された後、テープ・ガイドは構成部品取付け機に装填され、前記機械の取上げヘッドが、テープ・ガイド上の取上げ位置から構成部品を取り上げることができる。取上げ位置は、テープ・ガイドに沿う、装填された構成部品テープのカバーが構成部品の遮蔽を解除するように開いた位置である。
【００１１】
上記の通り、このタイプのテープ・ガイドは、幅の狭いテープ用として使用される。例えば１２又は１６ｍｍ幅の幅広テープを使用する場合、カバーを直立状態まで起こすのは、幅広のカバーを直立の状態まで起こすとテープ・ガイドの上にかなりの大きさの空間を必要とするために、大きな欠点を有し得る。複数のテープ・ガイドが横に並んで配置されると、取上げヘッドはガイドの上高くを通過させられることになり、構成部品を取り上げるのに移動させる垂直距離を増加させる必要が生じ、従って、製造プロセス全体の時間効率が低下する。
【００１２】
カバーを直立状態に起こすことに対する別法は、カバーを完全に脇に起こすこと、即ちカバーの剥がれた部分が構成部品テープと並んで延在するように、その部分を約１８０度裏返すことである。この方法は上記の問題を解決するが、それは真の解決ではなく、単に問題を別の領域に先送りするやり方である。テープ・ガイドの上に空間を必要とする代わりに、今度は、空間が各テープ・ガイドの傍らに必要となる。カバーが傍らに完全に裏返るとき、１つのテープ・ガイドのカバーが隣り合うガイドと干渉しないように、各テープ・ガイドをより遠く離して配置する必要がある。
【００１３】
上記の問題を解決しようとする初期の試みは、文書、米国特許第４  ８２０  ３６９号中に記載されている。この場合、案内滑りが、カバー・テープの剥がれた部分を案内手段の内側を通らせることによって、それを外向き上向きで取上げ位置の脇へ曲げるために、トンネル形状の案内手段を有し、取上げ位置では、剥がれたカバーは殆ど螺旋形状の様になっている。
【００１４】
回路基板の製造及び組立の分野では、信頼性及び効率が大いに重要であるので、構成部品テープのカバーが、取上げプロセス、又は構成部品テープの給送を妨害することは、例え偶にであっても、決して許容することはできない。例えば、もしテープ・ガイドのプラウの下にカバーが固着し、又は、もしカバーが取上げ位置と干渉すると、問題を修正し、構成部品テープがテープ・ガイドに再装填されるのに、挽回できない膨大な時間が失われ、従って、製造プロセスに余裕が減少する。従って、構成部品を露出するためにカバーを取り外すのにテープ・ガイドを使用するとき、カバーの剥がされた縁部がプラウ及び取上げ位置から確実に十分離れるようにしなければならない。
【発明の開示】
【発明が解決しようとする課題】
【００１５】
本発明の目的は、テープ・ガイドを使用して、構成部品テープを開放することに関する上記の問題を解消し、又は少なくとも軽減することである。この目的は、添付の特許請求の範囲による方法及び装置によって達成される。好ましい実施例が、添付の特許請求の範囲によって定義されている。
【課題を解決するための手段】
【００１６】
本発明は、カバーの剥がされた部分が取上げ位置で必要とする空間が少なくなるように、テープ・ガイドの内部でカバーを折り返すことによってカバーを畳むのが好都合であるとの洞察に基づいている。
【００１７】
この文書では、カバーの下面の少なくとも２つの部分が互いに向かい合うように、内側へ曲がるようにカバーを起こすことを意味する用語「折り返す」が用いられる。この場合に、カバーの下面とは、搬送テープに面している表面を指す。有利には、折返しは、互いに面する部分が、少なくとも実質的に互いに接するように行う。畳まれたカバーは、適切には、断面がほぼＭ字形又は逆Ｖ字形を描く。畳まれた後は、カバーは、直立した状態で、取上げ位置から外れて、側部を通過する。有利には、畳まれたカバーは、取上げ位置を通過する間、露出装置の側壁手段によって折り返された状態に保たれる。
【００１８】
意外にも、ある幅の従来の構成部品テープ・カバーは、テープ・ガイドの構成部品露出装置の物理的、幾何学的特性が適切である場合、折り返すことによってそれ自体で自動的に畳まれることが判明した。即ち、適切な特性を有する構成部品テープ及び正しく設計された構成部品露出装置のもとでは、カバーは、露出装置を通過するとき、直立状態に起こされながら、折り返すことによってそれ自体で畳まれる。
【００１９】
カバーの剥がれた縁部が、プラウや取上げ位置と干渉した場合、重大な不具合を生じ得るので、テープ・ガイド内でカバーを制御して内側へ折り返すことが可能であるとの本発明の理解が、更に利点をもたらした。特に、カバーが折り返されたとき、畳まれたカバーの自由縁部が、構成部品配列に接近することになるからである。
【００２０】
テープが折り返されることによって自動的に畳まれるか否かに影響し得る構成部品テープのパラメータは、例えば、カバーの剥がされた部分の幅及び弾性、並びにカバー・テープの上面及び下面の面摩擦である。米国規格ＥＩＡ−４８１が、一般的に使用されている構成部品テープの多くのパラメータを規定しているので、市販のある幅の構成部品テープの大部分を取り扱うことができる露出装置を設計することが可能である。
【００２１】
なぜカバーがそれ自体でそのように折り返されるのかは正確には分かっていない。根底にある原理は、カバーの剥がされた部分にある種の張力が加わり、カバーがそれ自体で自動的に折り返されるようになるものと考えられている。張力は、制御したやり方でカバーの縁部を構成部品テープの他方の側部へ案内することによって加えられる。典型的な例として、８ｍｍテープ用に設計された公知のテープ・ガイドでは、プラウは、カバーが搬送テープから分離される位置から取上げ位置まで区画室それぞれの中の構成部品を覆い保持し、カバーを直立状態に案内する舌形要素を備える。本発明者らは、通常のカバー・テープについて、自動折返しが、舌形要素の長さの特定の範囲、従来公知のプラウ要素の長さよりかなり短い長さの範囲において生じることを意外にも発見した。更に、ある限界までは、舌形要素が短いほど折返しが改善されるようである。しかし、舌形要素を更に短くすると、折返しは起こらなくなり得る。
【００２２】
カバーの剥がされた部分の長さと幅の比Ｒが約２．５と６の間にある場合に、自動的折返しが生じることが判明した。カバーの剥がされた部分の長さとは、第１の点と第２の点との間の距離を、搬送テープの給送方向に平行な方向上に投影したときの距離である。第１の点は、露出装置がカバーを搬送テープから分離する位置である。第２の点は、構成部品配列の第２の側部上で、取上げ位置の前でカバーが折り返されるところに位置する。カバーの剥がされた部分の幅は、横断距離、即ち第１の点と第２の点との間の、構成部品配列に直角な方向に沿った距離である。第１の点は、搬送テープの第２の部分上に位置し、即ち、カバーが構成部品配列の第２の側部上で搬送テープに取り付けられている場所に位置する。第２の点の位置は、露出装置がカバーを搬送テープから分離する場所である。従って、正確に計測すれば、長さは、カバーの剥がされた部分の幅に直角である。
【００２３】
本発明者らは、カバーの剥がされた部分の長さと幅との比の好ましい範囲は、約４と５の間、その比の最適な値は約４．５であることを発見した。
【００２４】
テープ・ガイドが極めて小さな比を実現するときの主な問題は、カバーを搬送テープから構成部品配列の第１の側部で分離させるだけでなく、両側部から分離させ得ることである。その結果、カバーの剥がされた部分は、露出装置を通過する構成部品テープについて行かずに、そのため、取上げプロセスと干渉することが起こり得る。
【００２５】
約４．５と６との間の比を用いるとき、折返し方に実質的な差はないと見られる。従って、構成部品テープを別の構成部品テープとの交換でテープ・ガイドから取り外したとき、長さの短い方が、構成部品が入っている区画室を部分的に開放したままにする数が少ないので、約４．５の比の方が、より大きな比より好ましい。従って、構成部品テープを交換するとき、無駄にする危険性を蒙る構成部品の数が減少する。
【００２６】
上記の比と、カバーにテープ・ガイドを所望の通り通過させるのに必要な力との間には、関係があると見られる。この関係は、約４．５より小さな比に対して最も明瞭である。その関係は、比を小さくする程、必要な力が大きくなると見られる。この点から見て、比が小さ過ぎると、大きな力が必要なので短所になり得る。比が約２．５より小さい場合、現実の構成部品取付け機でテープ・ガイドを実際に使用するのに必要な力が大きくなり過ぎることがある。更に、露出装置が構成部品配列の両側からカバーを取り外してしまうという問題がある。しかし、小さな比は、上で説明したように、構成部品節約の観点からはやはり有利である。従って、比の大きさと、力の大きさとの間に適切な妥協点を見つけるべきである。
【００２７】
本発明によるテープ・ガイドに構成部品テープを装てんするとき、カバーは負荷の掛かり方を表現するが、その状態はその時々で変化する。しかし、カバーの初期長さ（通常、０．５から２．５デシメートルの間）がテープ・ガイドを通過すると、安定した折返しが生じる。上記の通り、この折返しは、カバーの材質及びテープ・ガイドの特性に対応して、単一折返し（Ｖ字を逆さにしたような形状）から２つ折（Ｍ字のような形状）、更に３つ折まで、或いは、これらの中間の変形形状や段数に亘る様々な形状をとることができることが分かっている。
【００２８】
従って、最初の態様によれば、本発明は、構成部品搬送テープのカバーをテープ・ガイド内で案内するとき、カバーが、取上げ位置を通過する前、直立状態に起こされている間に、テープ・ガイド内で自動的に１つ又は複数の折り目で内側に折り曲げられるように案内され、その結果、前記カバーの下面の少なくとも２つの部分が互いに向かい合い、それによって直立したカバーの高さを低減するような方法を提供する。
【００２９】
別の態様によれば、本発明は、テープ・ガイド内の構成部品搬送テープのカバーが、カバーの分離された縁部が取上げ位置に到達する前、直立状態に起こされている間に、カバーの下面の少なくとも２つの部分が互いに向かい合うようにカバーが内側に折り返され、それによって直立したカバーの高さを低減するようにカバーが案内される方法を提供する。その後、分離されたカバーの部分が取上げ位置を通過する間、取上げ位置の側面に配置された側壁手段を用いることによって、カバーを畳まれた状態に維持する。
【００３０】
第３の態様によれば、本発明は、カバーの剥がされた縁部分を構成部品配列を横切って案内する手段が、取上げ位置を通過する前にカバーを直立状態に起こし、内側に折り曲げることによって自動的に畳み、それによって直立したカバーの高さを低減するように構成されている、テープ・ガイド内の構成部品搬送テープのカバーから構成部品を露出させる装置を提供する。
【００３１】
第４の態様によれば、本発明は、カバーを直立状態に起こしている間に、カバーの下面の少なくとも２つの部分が互いに向かい合うように、カバーを折り返すことによって畳み、それによって前記カバーの高さを低減する手段を更に備えた、構成部品搬送テープのカバーから構成部品を露出する装置を提供する。更に、露出装置は、前記カバーが取上げ位置を通過する間、カバーを畳まれた状態に維持するために、取上げ位置の側面に配置された側壁手段を備える。カバーは、露出装置を既に通過し、搬送テープ上に戻ろうとするカバー部分が、取上げ位置でカバーに発生させるある種の張力によって、畳まれた状態を維持する。これらの張力は、以前に記述した自動的折返しを生じる張力とは異なると見られる。カバーが搬送テープ上に戻ろうとするのは、カバーが折り返されたことによって発生するばね力作用にある程度依存している。
【００３２】
第５の態様によれば、本発明は、構成部品搬送テープのカバーから構成部品を露出させるための、本発明による露出装置を備える自蔵式テープ・ガイドを提供する。このテープ・ガイドは、本発明に従って構成部品取付け機の外部で独立して装填することができ、又、ＷＯ  ００／３８４９１に記載されているような前記構成部品取付け機に装填することができる。
【００３３】
側壁手段を設計するときは、カバーの縁部を前記壁形状手段の下に滑り込ませず、又、壁形状手段がカバーの第２の縁部を搬送テープから分離させないように注意を払わなければならない。通常、壁手段と構成部品テープとの間には小さな間隙が存在する。壁手段が、構成部品テープの表面上約０．２ｍｍよりも接近して配置された場合、構成部品配列の第２の側部で搬送テープに取り付けられたカバーの第２の縁部が、搬送テープから偶然分離されてしまうことがある。壁手段が構成部品テープ上約０．８ｍｍより高く配置された場合、且つ／又は、分離手段と壁手段との間の距離が約１ｍｍより大きい場合、カバーが露出手段の下に滑り込み、取上げプロセスを邪魔することが起こり得る。
【００３４】
時折、構成部品テープの製造が完全でなく、その結果、カバーの縁部が部分的に搬送テープに取り付けられていないことがある。搬送テープに完全に取り付けられていないカバーをテープ・ガイドに装填するのは難しい。この問題を解決する１つの方法は、カバーの最初の約０．５から１．５デシメートルが搬送テープに取り付けられている構成部品テープの部分から装填を開始することである。ここで、一旦構成部品テープが装填されれば、本発明によるテープ・ガイドは、偶発的に剥がれているカバー・テープの縁部を取り扱うことができ、それらをカバーの残りの部分と同じように処理することができる。露出装置が、取上げ位置の側部にある溝穴状の通路を覆う屋根状手段を備える場合には特にそうである。溝穴状の通路は、露出装置の側壁手段が対向するテープ・ガイド壁の一部と組み合わさって形成することができる。屋根状手段の目的は、既に取上げ位置を通過したカバー・テープ部分に剥がれたカバー部分を壁状手段の下に引き込ませることによって、剥がれた部分をテープ・ガイドの内側へ押し下げることである。
【００３５】
有利には、テープ・ガイドを装填するとき、カバーが搬送テープから分離される点と取上げ位置との間に配置され、構成部品配列を横切って延在する露出装置の案内面が、カバーの剥がされた縁部分を構成部品配列の第２の側部に案内するのを援ける。案内面は、更に、カバーを構成部品配列の第１の側部から第２の側部へ案内するとき、カバーを自動的に折り返すような張力をカバーに加えるように設計されている。案内面の設計は、構成部品テープの装填をよりよく援けるように変更することができる。例えば、構成部品配列面と案内面による面との角度を９０度より小さくすることができる。更に、案内面壁は、平坦ではなく僅かに湾曲させることもできる。案内面の最初の部分は、例えば、僅かに凸面で、後部は僅かに凹面にすることができる。
【００３６】
本発明の別の目的及び他の特徴は、以下の詳細な説明から明らかになる。
【実施例】
【００３７】
従来技術のテープ・ガイド及び本発明による実施例の説明を行う。全図を通して、同じ参照符号は同じ又は対応する部品を示す。
【００３８】
図１ａに、通常幅が８ｍｍの幅の狭い構成部品テープ１のカバー３を直立状態に回転させ、それによって、搬送された構成部品４を取上げ位置１２で順次露出させるように設計された、最新技術に属するテープ・ガイド１０を示す。構成部品テープ１は、構成部品４を搬送するポケット、及びカバー３を有する搬送テープ２を備える。構成部品及びポケットは、図では概略のみを示す。実際には、ポケットの大きさは、構成部品の大きさに合うように調節される。構成部品テープは、先ず、連続する構成部品の第１の側で、カバー３の小部分を搬送テープ２から剥がすことによって、テープ・ガイド１０に装填する。その後、テープ・ガイド・プラウ１１の先端部１６を、搬送テープ２とカバー３の剥がされた部分との間に確実に挿入しながら、構成部品テープ１を、テープ・ガイド１０の２つの側壁１３の間でテープ・ガイドに入れる。次いで、構成部品テープ１は、引っ張られ、且つ／又は押されてプラウ１１を通過し、カバー３は、連続する構成部品の前記第１の側のみが搬送テープ２から更に剥がされる。プラウを通過している間に、カバー３は、取上げ位置１２の側面で直立状態に起こされる。この直立状態に起こされている間、搬送テープは、取上げ位置１２の直前にプラウに設けられたプラウ支持面１５、及び、取上げ位置１２の直後に配置され、側壁１３から横方向に延出する上部突起部に設けられた支持面１４によって支持される。これら支持面１４、１５は、搬送テープ２に比較して高い位置にある。このように装填したテープ・ガイド１０を構成部品取上げ機に挿入した後、取上げヘッドが、露出構成部品４を取上げ位置１２で順次取り上げることが可能になる。
【００３９】
図１ｂ、１ｃ、１ｄ、及び１ｅはそれぞれ線Ｉ−Ｉ、ＩＩ−ＩＩ、ＩＩＩ−ＩＩＩ、及びＩＶ−ＩＶに沿った概略断面図である。図は、テープ・ガイド壁１３、搬送テープ２、カバー３、及びプラウ１１、並びに構成部品４を、それらが存在する場合に示す。各図は、カバー３が、搬送テープ２からプラウ１１の先端部によって剥がされた後、プラウ１１によって直立の状態に起こされたときの、テープ・ガイド１０に沿ったカバーの様々な状態を示す。
【００４０】
図１ｄには、取上げ位置１２、及び一杯に起こされた状態のカバー３が示されている。カバー３は取上げ位置１２の側方で直立な状態に起こされており、取上げヘッドが、矢印で示したように、構成部品４を取り上げることができる。
【００４１】
図１ｅは、取上げ位置１２の後ろのカバー支持面１４の位置を示し、前記面は少し上がって、高い位置にある。
【００４２】
図２ａには、本発明の実施例による露出装置２１が備え付けられた、幅広の構成部品テープ用の修正型テープ・ガイド２０が示されている。露出装置は、実質的に平坦で、薄く、構成部品配列に実質的に平行に延在する舌形要素２３を有する。舌形要素は、テープ・ガイドの第１の側部で搬送テープ２の第１の部分からカバー３を剥がすための横向きのナイフ形状手段３３を、構成部品配列の第１の側部側に備え付けた丸みを帯びた先端部２７を備える。舌形要素２３は、カバーを搬送テープから剥がす位置から取上げ位置２２に向かって、構成部品４を覆っている。
【００４３】
露出装置は又、舌形要素２３に実質的に直交する案内面２６を有する案内要素を備える。案内要素は取上げ位置２２に配置されている。案内面２６は、構成部品テープをテープ・ガイドに充填するとき、カバー３の剥がされた部分を案内するために、実質的にテープ・ガイドの前記第１の側部から第２の側部まで、取上げ位置２２に向かって斜めに延在する。露出装置２１は、カバー３がテープ・ガイドの第２の側部、即ち構成部品配列の第２の側部に向かって移動するとき、カバー３にある種の張力が掛かり、その張力によって、カバー３を、本明細書で前に説明したように折り返すことによって畳むように設計されている。従って、折返しは、カバー３の剥がされた縁部が案内面２６によって構成部品配列の第２の側部に向かって案内されるとき導入される張力によって出現する。
【００４４】
露出装置２１は又、テープ・ガイドの第２の側部上に、案内面２６の第２の端部から取上げ位置２２を超えて延在する壁手段２４を備える。壁手段２４は、搬送テープに実質的に直交し、搬送テープ２の給送方向に平行である。壁手段２４の主な目的は、畳まれたカバー３が取上げ位置２２を通過する間、確実にカバー３が畳まれたままで、取上げ位置２２の脇を通るようにすることである。従って、構成部品は、支障なく、取上げヘッドに対して露出される。これを、図３及び図４に基づいて更に説明する。
【００４５】
露出装置２１は、搬送テープに平行で、取上げ位置２２の側部に配置された屋根状手段２９を更に備え、屋根状手段２９は、畳まれたカバー３が、壁手段２４とテープ・ガイドの第２の側部にあるテープ・ガイド壁１３との間の溝穴状の通路を通って取上げ位置２２を通過するとき、カバー３を覆う。屋根状手段２９についても、図２ｄ及び図２ｅに基づいて更に説明する。
【００４６】
図２ｂ、２ｃ、及び２ｄは、図２ａの線Ｉ−Ｉ、ＩＩ−ＩＩ、ＩＩＩ−ＩＩＩ、及びＩＶ−ＩＶそれぞれに沿った概略断面図である。それらの図は、露出装置２１、テープ・ガイド壁２３、搬送テープ２、カバー３、及び構成部品４を、それらが存在する場合に示す。各図は、カバー３が内側に折り返されることによって畳まれるところ、及び、取上げ位置２２の側方で、畳まれたカバーを確実に折り返しているところを示している。
【００４７】
図２ｂでは、露出装置２１の先端部２７が、構成部品配列４の第１の側部で、搬送テープ２からカバー３を丁度剥がしたところである。
【００４８】
図２ｃでは、カバー３が、折り返されることによって畳まれている。露出装置２１の案内面２６が、充填された搬送テープのカバー３にもはや接触していないことが注目される。
【００４９】
図２ｄは、取上げ位置２２での状況を示す。畳まれたカバー３は、露出装置２１の側壁手段２４によって取上げ位置の脇に保持され、それによって、取上げヘッドが構成部品４を取り上げることが可能になる。屋根状手段２９が、壁手段２４と壁手段テープ・ガイド壁１３との間の溝穴状の通路中に、畳まれたカバーを支障なく保持する。
【００５０】
図２ｅは、取上げ位置２２の後ろの状況を示し、カバーは、図２ｄに示す通りに、畳まれた状態に保たれている。
【００５１】
更に、図２ｄ及び２ｅでは、カバーが装着されている搬送テープ２の上面と露出装置２１の側壁手段２４の下縁部との間の間隙３０が示されている。間隙３０を小さくし過ぎると、カバー３が構成部品配列の第２の側部でも搬送テープ２から剥がされ、露出装置の働きを妨害する可能性があり、このため搬送テープをテープ・ガイドに沿ってそれ以上給送するのを阻害する危険性があることが判明している。他方、その間隙を大きくし過ぎると、畳まれたカバー３の剥がされた縁部が側壁手段２４の下を取上げ位置２２に向かって滑って行き、それによって構成部品を取り上げるのを邪魔する危険性がある。両方の場合とも、カバー３の剥がれた部分が、給送又は取上げプロセスの何れかをそれぞれ妨害する可能性がある。
【００５２】
ＰＳＡ（「Ｐｒｅｓｓｕｒｅ  Ｓｅｎｓｉｔｉｖｅ  Ａｄｈｅｓｉｖｅ」）タイプのカバー・テープを使用すると有利である場合がある。材質特性及び製造プロセスによって、下面の、カバーが搬送テープに装着されるとき構成部品に向かい合う部分は、カバーが搬送テープ２から分離された後でも、まだ接着性を保っている。このため、カバー３の下面部分を一緒に折り畳むとき、その接着性のある部分が、残りのカバー下面に貼り付くことができる。本発明による折返しの主な利点は、非接着性のカバーの上面だけが露出装置に係合するので、プラウとカバーの下面との間の摩擦が実質的に低減されることである。別の利点は、カバー３の分離された縁部分が、カバー３の、構成部品配列の第２の側部側の下面に貼り付けられ、従って、カバー３の剥がされた縁部分が取上げ位置２２を塞ぐ可能性を低減させることである。
【００５３】
図３ａは、本発明の一実施例による、構成部品テープ１をテープ・ガイドに図２ａに示すように充填する間の、構成部品テープ１と露出装置２１との最初の協働状態の概略を示す。テープ・ガイドの残りの部分は、充填の原理を読者に対してより明瞭にするために省略されている。通常の通り、テープ・ガイドを充填するステップは、最初に、カバー３の小部分を搬送テープ２の第１の側部から手で剥がすことを含む。その後、露出装置２１の先端部２７が、剥がされたカバー３と搬送テープ２との間に位置するように、構成部品テープ１を、テープ・ガイドに挿入する。続いて、構成部品テープ１をテープ・ガイドに沿って押し、又は引っ張り、ある距離過ぎると、カバー３の剥がされた縁部分が露出装置２１の案内面２６に接触し、それによってカバーの前記剥がされた縁部分が図３ｂに示すように更に起こされる。
【００５４】
充填中の構成部品テープが押され、又は引かれて案内面２６を通過するとき、案内面は、構成部品テープの剥がされたカバー３を、カバーを更に折り返しながら、構成部品配列の第２の側部へ導く。テープは次いで更に、押され、又は引かれて取上げ位置２２を通過する。構成部品テープ１がある長さだけ、露出装置２１を通過した後、カバー３は、本明細書で前に記述したように自動的に畳まれており、露出装置によって畳まれた状態に保たれる。この文脈で、自動的にとは、手でカバーを折り返すなどの追加処置の援けなしに達成される折返しを意味する。
【００５５】
図４は、充填された構成部品テープ１と露出装置２１との間の協働を更に示す斜視図であり、露出装置２１は図２ａに示すようにテープ・ガイド中に配置されている。テープ・ガイドの残りの部分は、構成部品テープのカバー３が折り返される原理を読者に対してより明瞭にするために省略されている。図３ａに関連して述べたように、テープが最初の長さだけ露出装置２１を越えた後、露出装置は、カバー３の下面の部分が互いに向かい合うように、カバー３を折り返すことによって自動的に畳む。上記の通り、露出装置２１には、側壁手段２４が設けられ、その目的は、カバー３が取上げ位置２２の脇へ通過するとき、カバー３を折り返したままに保つことである。折り返され、側壁手段を通過するとき、折り目を戻し搬送テープ２上の元の位置に戻ろうとしている畳まれたカバー３は、そのスプリング力作用により、壁手段２４の周りに幾分引き伸ばされていると考えられる。即ち、カバー３は、側壁手段２４の周りに引き伸ばされるので、取上げ位置２２を通過するとき、折り返されたままになる。
【００５６】
やはり上述の通り、露出装置２１には、屋根状手段２９が設けられている。前記手段２９の主な目的は、カバー３が、何らかの理由、例えば製造プロセスの不具合によって搬送テープ２の第２の部分から剥がれた場合に、安全装置として働くことである。屋根状手段は、搬送テープの第２の部分に貼り付いており、既に屋根状手段の下を通過したカバー部分によって発生する引っ張り力によって、その剥がれた第２の部分が屋根状手段の下を通過するようにさせる。
【００５７】
図５は、本発明による自動的折返しを実現するために重要である、カバーの剥がれた部分の長さと幅の比Ｒを計算するために用いられる２つの距離Ｄ１及びＤ２を示すために、本発明の一実施例による搬送テープ２及びそれと協働する露出装置２１を概略的に示す上面図である。
【００５８】
カバー３の剥がれた部分の長さＤ１は、搬送テープ２の給送方向に平行な方向上に投影したときの点Ｂと点Ｃとの間の距離ＢＣである。点Ｂは、露出装置２１の舌形要素２３がカバー３を搬送テープ２から分離する場所、即ち要素２３の先端が搬送テープ２の第１の部分３１を横切る点に位置する。この状況において、搬送テープの第１の部分３１は、カバー３が構成部品配列の第１の側部で搬送テープ２に接着されている場所である。点Ｃは、構成部品配列４の反対側の第２の側部に位置し、そこは、カバーが取上げ位置２２の直前で折り返され、即ち、この実施例では、露出装置２１の案内面２６と壁手段２４とが出会う場所である。
【００５９】
カバー３の剥がれた部分の幅Ｄ２は、点Ａと点Ｂとの間の横断距離、即ち構成部品配列に直角な方向に沿った距離である。点Ａは、点Ｂの真向かいで、搬送テープ２の第２の部分３２上、即ちカバーが構成部品配列の第２の側部上で搬送テープ２に接着されている場所に位置する。従って、長さＤ１は、幅Ｄ２に対して直角に測定される。
【００６０】
本発明に従ってカバーの適切な折返しが得られるためには、特に上記で説明した自動的折返しにおいて、露出装置は、約２．５から６、好ましくは約４から５、更に好ましくは約４．５の比Ｒ＝Ｄ１／Ｄ２をもたらすべきであることが判明している。
【００６１】
図１ａに示されるテープ・ガイドのような、従来のプラウを備える従来技術のテープ・ガイドの対応する比は、通常の値が約１０であることが指摘されるべきである。
【００６２】
以下に、図１ａ及び２ａに示された種類のテープ・ガイドに使用され、典型的なサイズのポケットを有する１６ｍｍ構成部品テープを処理するのに適した自蔵型露出装置の好ましい構成のより詳細な説明を例として示す。露出装置ユニットの舌形要素２３は、長さが約６５ｍｍ、幅が約１２ｍｍであり、丸みを帯びた先端部分及び幾分ナイフ又は楔形をした縁を持つ幾分３角形の先端部２７を有する。
【００６３】
案内部は、舌形要素２３の後部のすぐ上に配置され、取上げ位置開口２８が設けられている。取上げ位置開口２８は、給送方向で舌形要素の後ろに配置され、開口の寸法はテープ給送方向で１５ｍｍ、その横断方向で１２ｍｍである。
【００６４】
案内部には又、舌形要素の分離部３３の約１５ｍｍ後ろで露出要素の同じ側部上で始まり、露出装置２１に沿って給送方向に更に約３５ｍｍ離れた前記露出要素の反対の側部上で終わる垂直案内面２６が設けられている。案内面は、給送方向と約２５度の角度を形成する。案内面は、高さ約１０ｍｍ、実質的に平坦で、舌形要素に直交し、壁手段に移行する部分で丸められている。
【００６５】
壁手段２４は、取上げ位置開口２８の約３ｍｍ手前で始まり、長さ約２５ｍｍ、高さ約１０ｍｍ、厚さ約０．４ｍｍで、舌形要素２３の下面による面から約０．５ｍｍ上に配置されている。その下面は構成部品に向かい合っている。更に、壁手段は、取上げ位置開口を過ぎて、給送方向に約５ｍｍ続く。
【００６６】
更に、露出装置の、給送方向で取上げ位置開口の後ろに、給送方向長さ約５ｍｍ、高さ約５ｍｍの部分がある。前記部分の目的は、壁手段の後部に対して支持部及び安定化部を形成することである。
【００６７】
屋根手段は、壁手段２４の上縁から側方へ約４ｍｍ延在する、即ち、取上げ位置開口２８から延在し、横幅が約４ｍｍである。前記屋根手段の長さは、約３５ｍｍであり、そのうち約１０ｍｍは、取上げ位置の後ろ給送方向に延在する。又、屋根手段は案内面の後端に沿って延在し、即ち、露出装置の他方の側部に向かう方向に延在する。
【００６８】
露出装置の１つのタイプの構成が上記で提案された。しかし、別の構成が可能であり、添付の特許請求の範囲に定義される本発明の範囲を超えて拡張することなくそれを考案するこができる。例えば、カバーの最初の折返しを容易にするために、露出装置の舌形要素にフィンを取り付けることができ、又、露出装置は自蔵式ユニットでなくてもよく、別々の部品を組み合わせることによって形成してもよい。
【００６９】
又、構成部品テープを充填するときカバーを自動的に折り返すことがそれほど有益でないと考えられる場合、露出装置は、カバーの内側への折返しを、手によって充填中最初に行い、それが単に、本発明に記載されたように、引き続き構成部品テープを取上げ位置の側部へ向かわせ通過させる給送中にも維持されることを単に確実にするように設計することもできる。理解される通り、そのような設計は、剥がされたカバーのための特定の案内面は必要ないことを意味する。
【００７０】
更に、本発明による露出装置を使用しても、本明細書に記載した種類の自蔵型テープ・ガイドを必ずしも使用する必要はない。
【図面の簡単な説明】
【００７１】
【図１ａ】プラウを備え、幅の狭い搬送テープが装填されている公知のテープ・ガイドの、プラウの分解図を含む、斜視図である。
【図１ｂ】テープ・ガイド、プラウ、搬送テープ、及び構成部品の一部（存在すれば）を示す、図１ａに示したテープ・ガイドの概略横断面図である。
【図１ｃ】テープ・ガイド、プラウ、搬送テープ、及び構成部品の一部（存在すれば）を示す、図１ａに示したテープ・ガイドの概略横断面図である。
【図１ｄ】テープ・ガイド、プラウ、搬送テープ、及び構成部品の一部（存在すれば）を示す、図１ａに示したテープ・ガイドの概略横断面図である。
【図１ｅ】テープ・ガイド、プラウ、搬送テープ、及び構成部品の一部（存在すれば）を示す、図１ａに示したテープ・ガイドの概略横断面図である。
【図２ａ】露出装置を備え、幅広の搬送テープが装填された、本発明の一実施例によるテープ・ガイドの、露出装置の分解図を含む、斜視図である。
【図２ｂ】テープ・ガイド、露出装置、搬送テープ、及び構成部品の一部（存在すれば）を示す、図２ａに示したテープ・ガイドの概略横断面図である。
【図２ｃ】テープ・ガイド、露出装置、搬送テープ、及び構成部品の一部（存在すれば）を示す、図２ａに示したテープ・ガイドの概略横断面図である。
【図２ｄ】テープ・ガイド、露出装置、搬送テープ、及び構成部品の一部（存在すれば）を示す、図２ａに示したテープ・ガイドの概略横断面図である。
【図２ｅ】テープ・ガイド、露出装置、搬送テープ、及び構成部品の一部（存在すれば）を示す、図２ａに示したテープ・ガイドの概略横断面図である。
【図３ａ】本発明の一実施例に従って構成部品テープを装填したとき、露出装置の案内面にそのカバーが係合しているところの構成部品テープの斜視図である。
【図３ｂ】図３ａのＩ−Ｉに沿った概略横断面図である。
【図４】構成部品取上げ位置を通過させてカバーを案内しているところを示す、図２に示す露出装置及び搬送テープの斜視図である。
【図５】比の成立ちを示す、本発明による搬送テープ及び露出装置の上視概略図である。
【図１ａ】
2007510296.tif 000003
【図１ｂ】
2007510296.tif 000004
【図１ｃ】
2007510296.tif 000005
【図１ｄ】
2007510296.tif 000006
【図１ｅ】
2007510296.tif 000007
【図２ａ】
2007510296.tif 000008
【図２ｂ】
2007510296.tif 000009
【図２ｃ】
2007510296.tif 000010
【図２ｄ】
2007510296.tif 000011
【図２ｅ】
2007510296.tif 000012
【図３ａ】
2007510296.tif 000013
【図３ｂ】
2007510296.tif 000014
【図４】
2007510296.tif 000015
【図５】
2007510296.tif 000016
【国際調査報告】
2007510296.tif 000017
2007510296.tif 000018